(57)【要約】【課題】二枚のシート材を結合させて製造されていても、製造工数や製造コストを増加させること無く、使い勝手の良好な作業用手袋を提供すること。【解決手段】作業用手袋２は、作業者の手に被せて嵌める手袋部３と、手袋部３から延びて端部６ａに挿入口部７を開口させ、手袋部３に手を嵌めた際に作業者の肩付近まで延びる長さ寸法の筒部６と、を備え、かつ、防水性を有して構成される。手袋部３と筒部６とは、シボを有しかつ可撓性を有して相互に同形状とした高分子材料からなる二枚のシート材２０Ａ・２０Ｂにおける外周縁相互が、筒部６の挿入口部７を除いて、結合されることにより、一体的に形成される。そして、一方のシート材２０Ａが、挿入口部７の周縁の全域にわたって、突出量Ｐを設けて、他方のシート材２０より突出している。【選択図】図１
2004238740.tif 000002
【特許請求の範囲】
【請求項１】
作業者の手に被せて嵌める手袋部と、該手袋部から延びて端部に挿入口部を開口させ、前記手袋部に前記手を嵌めた際に前記作業者の肩付近まで延びる長さ寸法の筒部と、を備えて防水性を有した作業用手袋であって、
シボを有しかつ可撓性を有して相互に同形状とした高分子材料からなる二枚のシート材における外周縁相互が、前記筒部の挿入口部を除いて、結合されることにより、前記手袋部と前記筒部とが、一体的に形成される構成として、
一方の前記シート材が、前記挿入口部の周縁の全域にわたって、他方の前記シート材より突出していることを特徴とする作業用手袋。
【請求項２】
前記手袋部に、さらに、作業用の第２の手袋が被されて使用されることを特徴とする請求項１に記載の作業用手袋。
【請求項３】
前記手袋部が、五本指タイプとして、構成されていることを特徴とする請求項１若しくは請求項２のいずれかに記載の作業用手袋。
【発明の詳細な説明】
【０００１】
【発明の属する技術分野】
本発明は、水槽の水苔等を拭き取り掃除する際に、好適に使用することができる作業用手袋に関する。
【０００２】
【従来の技術】
従来、作業用手袋では、防水性を有して可撓性を有した材料から形成されて、作業者の手を挿入させるように装着し、手に被せて嵌める手袋部と、手袋部から延びて手袋部に手を嵌めた際に、作業者の肩付近まで延びる長さ寸法の筒部と、を備えて、構成されていた。
【０００３】
そして、この作業用手袋では、簡便に製造できるように、ゴムや熱可塑性エラストマー等の高分子弾性材料からなる二枚の同形状のシート材を重ねて、筒部の挿入口部を除く外周縁相互を、熱溶着等を利用して結合させて、製造していた。さらに、二枚のシート材には、汗等によって手等に手袋が密着しないように、シボが賦形されていた（例えば、特許文献１参照）。
【０００４】
【特許文献１】
特開２００３−０２３９１６公報（段落番号
【００３９】〜
【００４１】、図６・７）
【０００５】
【発明が解決しようとする課題】
しかし、従来の作業用手袋では、ゴムや熱可塑性エラストマー等の高分子弾性材料からなる二枚のシート材から形成されており、シボが設けられているため、シート材相互が密着し難いものの、筒部の挿入口部から手を入れる際、その挿入口部を開き難く、改善の余地があった。特に、水槽や車の掃除等では、水を使用する屋外の作業となる場合が多く、付着した水によって挿入口部周縁が密着したり、あるいは、冬季では、手がかじかんで、挿入口部が開き難い。
【０００６】
本発明は、上述の課題を解決するものであり、二枚のシート材を結合させて製造されていても、製造工数や製造コストを増加させること無く、使い勝手の良好な作業用手袋を提供することを目的とする。
【０００７】
【課題を解決するための手段】
本発明に係る作業用手袋は、作業者の手に被せて嵌める手袋部と、手袋部から延びて端部に挿入口部を開口させ、手袋部に手を嵌めた際に作業者の肩付近まで延びる長さ寸法の筒部と、を備えて防水性を有した作業用手袋であって、
シボを有しかつ可撓性を有して相互に同形状とした高分子材料からなる二枚のシート材における外周縁相互が、筒部の挿入口部を除いて、結合されることにより、手袋部と筒部とが、一体的に形成される構成として、
一方のシート材が、挿入口部の周縁の全域にわたって、他方のシート材より突出していることを特徴とする。
【０００８】
本発明に係る作業用手袋では、筒部における挿入口部の周縁において、一方のシート材が、他方のシート材より突出しており、一方のシート材を、容易に把持して他方のシート材から離すことができ、そして、その一方のシート材を他方のシート材から離せば、直ちに、挿入口部を開口させることとなり、手を、挿入口部を経て、簡単に筒部先端の手袋部に嵌めることができる。
【０００９】
そして、このような作業用手袋の製造は、二枚のシート材を、予め、相互に所定形状の同形状に裁断して、それらのシート材の外周縁相互を結合させて、製造しても良いが、結合部位周縁の外形等の寸法の精度を向上させるために、通常、裁断していない状態の略四角形の二枚のシート材を重ね合わせて、手袋の外形形状に沿わせて、結合部を設けるとともに、その結合部の周囲を裁断して、製造することが望ましい。
【００１０】
そして、このような製造時、本発明に係る作業用手袋では、二枚のシート材を重ね合わせる際、一方のシート材における直線状の縁を、他方のシート材の直線状の縁より、突出させるように、重ねて、そのずれた部位を、挿入口部の周縁を形成するように、結合治具や裁断治具を配置させて、結合部の形成と裁断とを行なえば、本発明に係る作業用手袋を、簡単に製造することができる。すなわち、二枚のシート材の直線状の縁を単にずらすだけで、特別な治具を使用することなく、かつ、工数を増やすことなく、容易に挿入口部を開口可能な本発明に係る作業用手袋を、簡単に、製造することができる。
【００１１】
したがって、本発明に係る作業用手袋は、二枚のシート材を結合させて製造されていても、製造工数や製造コストを増加させること無く、容易に挿入口部を開口させることができて、使い勝手が良好となる。
【００１２】
そして、本発明に係る作業用手袋では、手袋部に、さらに、水槽清掃用や洗車用の手袋、あるいは、軍手等の作業用の第２の手袋を、被せて使用すれば、それらの作業を効率的に行なえ、さらに、それらの作業用の第２の手袋が、手袋部を保護することもできることから、耐久性を向上させることができる。
【００１３】
また、本発明に係る作業用手袋が、手袋部を五本指タイプとして構成しておれば、市販の軍手を、容易に、手袋部に嵌めて使用することができる。
【００１４】
【発明の実施の形態】
以下、本発明の一実施形態を図面に基づいて説明すると、実施形態の作業用手袋２は、図１・６に示すように、第２手袋９を嵌めて、水槽Ｗの掃除用の掃除具１として使用されるものである。
【００１５】
作業用手袋２は、図１〜３に示すように、手袋部３と筒部６とを備えて、防水性を有して可撓性を有した合成樹脂やゴム等の高分子材料からなる二枚のシート材２０（２０Ａ・２０Ｂ）から、形成されている。シート材２０Ａ・２０Ｂは、ＥＶＡ樹脂から形成されて、厚さを０．０８〜０．３ｍｍ程度（実施形態では約０．１ｍｍ）としている。また、これらのシート材２０Ａ・２０Ｂは、シボ賦形ロール等によって、相互に対向する面側に、細かい凹凸からなるシボ２０ａが賦形されている。
【００１６】
そして、手袋部３は、図１・６に示すように、清掃作業者Ｄの手Ｈを挿入させて、手Ｈに被せるように嵌める部位であり、五本指の各指に対応した五本の指部４と、掌や甲を覆う掌部５と、を備えて構成されている。筒部６は、掌部５から筒状に延び、作業者Ｄの手Ｈ等を含んだ腕Ａを挿入可能に、端部６ａに挿入口部７を開口させて、構成されている。筒部６の長さ寸法Ｙ１は、手袋部３に手Ｈを挿入させて嵌めた作業者Ｄの肘Ｅを越えた肩Ｓ付近までを、覆えるように、４５〜５５ｃｍ程度（実施形態では約４８ｃｍ）に設定されて、作業用手袋２は、その全長Ｙ０を６０〜８０ｃｍ程度（実施形態では約７０ｃｍ）とするように、形成されている。
【００１７】
また、図１・２に示すように、挿入口部７の周縁の全域にわたって、シート材２０Ａが、シート材２０Ｂより、筒部６の軸方向に略沿って、突出されている。突出量Ｐは、１〜１０ｍｍ程度（実施形態では約３ｍｍ）としている。
【００１８】
この作業用手袋２の製造は、図４に示すように、裁断していない状態の略四角形の二枚のシート材２０Ａ・２０Ｂを重ね合わせて、手袋２の外形形状に沿わせて、シート材２０Ａ・２０Ｂ相互を融着させた結合部２ａを設けるとともに、その結合部２ａの周囲を裁断して、製造する。そして、この製造時、実施形態の作業用手袋２では、二枚のシート材２０Ａ・２０Ｂを重ね合わせる際、一方のシート材２０Ａにおける直線状の縁２１を、他方のシート材２０Ｂの直線状の縁２２より、突出させるように、重ねて、そのずれた部位を、挿入口部７の周縁を形成するように、高周波溶着用の結合治具やカッタ等の裁断治具を配置させて、結合部２ａの形成と裁断とを行なって、作業用手袋２を製造している。
【００１９】
第２手袋９は、図１・５に示すように、作業用手袋２の手袋部３の表面側に対し、着脱自在に、被せて嵌め可能な手袋形状として、拭き掃除可能な布材１３から構成されている。実施形態の第２手袋９は、ミトン形状として、作業用手袋２に挿入させた状態での作業者Ｄの親指や人差し指と残りの指とをそれぞれ挿入可能に構成された三本の指部１０と、作業用手袋２に挿入させた状態での作業者Ｄの掌や甲を挿入可能な掌部１１と、掌部１１の端部に開口する挿入口部１２と、を備えて構成されている。挿入口部１２は、手袋部３に被せて嵌めた際に、清掃作業中に、第２手袋９が手袋部３から簡単に抜けないように、掌部１１から若干狭まって、開口されている。
【００２０】
布材１３は、実施形態の場合、合成繊維製の不織布から形成されており、図５に示すように、同形の二枚の布材１３・１３を重ね、それらの外周縁相互を、縫合糸１４を使用し、挿入口部１２を残して縫合して、手袋形状に形成している。
【００２１】
実施形態の掃除具１の使用時には、図６に示すように、清掃作業者Ｄの腕Ａを作業用手袋２内に挿入させて、作業者Ｄの手Ｈを手袋部３に挿入させて嵌めるとともに、筒部６の端部６ａを作業者Ｄの肘Ｅを越えた肩Ｓ付近に配置させる。さらに、作業用手袋２の手袋部３に第２手袋９を被せるように嵌める。
【００２２】
そして、作業用手袋２ごと、第２手袋９を、水槽Ｗ内に入れて、その内周面の所定部位に当てて、擦れば、水苔等の水槽Ｗの汚れを剥がすことができる。
【００２３】
この時、第２手袋９は、清掃作業者Ｄの手Ｈの位置に配置されているため、力をいれて、清掃作業を行うことができて、手Ｈの届く範囲内であれば、曲面であっても、ムラなく奇麗に、水槽Ｈの内周面を掃除することができる。
【００２４】
また、作業用手袋２は、防水性を有して可撓性を有した材料から形成されて、手袋部３に手Ｈを挿入させて嵌めた際に、手袋部３から清掃作業者Ｄの肘Ｅを越えた肩Ｓ付近まで延びる長さ寸法Ｙ１の筒部６を備えているため、掃除作業者Ｄは、腕捲りすることなく、すなわち、腕Ａの部位の服が汚れたり濡れたりすることを気遣うことなく、清掃作業を行うことができる。
【００２５】
勿論、第２手袋９は、作業用手袋２から取り外すことができることから、汚れれば、作業用手袋２から取り外して、洗剤等を利用して洗うことができ、再利用することが可能である。
【００２６】
そして、実施形態の作業用手袋２では、図１・２に示すように、筒部６における挿入口部７の周縁において、一方のシート材２０Ａが、他方のシート材２０Ｂより突出しており、一方のシート材２０Ａを、容易に把持して他方のシート材２０Ｂから離すことができ、そして、その一方のシート材２０Ａを他方のシート材２０Ｂから離せば、直ちに、挿入口部７を開口させることとなり、手Ｈを、挿入口部７を経て、簡単に筒部６の先端の手袋部３に嵌めることができる。
【００２７】
そして、実施形態の作業用手袋２では、製造時における二枚のシート材２０Ａ・２０Ｂを重ね合わせる際、図４に示すように、一方のシート材２０Ａにおける直線状の縁２１を、他方のシート材２０Ｂの直線状の縁２２より、突出させるように、重ねて、そのずれた部位を、挿入口部７の周縁を形成するように、結合治具や裁断治具を配置させて、結合部２ａの形成と裁断とを行なえば、簡単に製造することができる。すなわち、二枚のシート材２０Ａ・２０Ｂの直線状の縁２１・２２を単にずらすだけで、特別な治具を使用することなく、かつ、工数を増やすことなく、容易に挿入口部７を開口可能な実施形態の作業用手袋２を、簡単に、製造することができる。
【００２８】
したがって、実施形態の作業用手袋２では、二枚のシート材２０Ａ・２０Ｂを結合させて製造されていても、製造工数や製造コストを増加させること無く、容易に挿入口部７を開口させることができて、使い勝手が良好となる。
【００２９】
また、実施形態の作業用手袋２では、手袋部３に、さらに、水槽清掃用の第２手袋９を、被せて使用すれば、水槽Ｗの清掃作業を効率的に行なえ、さらに、その作業用の第２手袋９が、手袋部３を保護することもできることから、耐久性を向上させることができる。
【００３０】
さらに、実施形態の作業用手袋２は、手袋部３が、五本指の各指に対応して五本の指部４を備えた五本指タイプとしており、この手袋２では、図７に示すように、市販の軍手２４を、容易に、手袋部３に嵌めて使用することができる。このような軍手２４を嵌めて使用すれば、洗車の他、エンジンルーム等での車両の整備、冬季のタイヤチェーンの装着等の作業を、手や衣服の腕部分等を汚さすに、行なうことができる。勿論、手袋部３は、軍手２４で保護されることから、作業用手袋２の耐久性も十分確保することができる。
【００３１】
なお、実施形態の作業用手袋２では、内周面側にシボ２０ａが形成されていることから、筒部６の内周面が、摩擦抵抗を強くして、使用時、衣服の腕部、あるいは、衣服を着けていない場合の作業者Ｄの腕Ａから、脱落せず、所定の作業を円滑に行うことができる。
【００３２】
また、作業用手袋２と第２手袋９とを利用して掃除具１として使用する場合には、第２手袋９においても、図５の二点鎖線に示すように、挿入口部１２の周縁の全域において、一方の布材１３Ａを、他方の布材１３Ｂより、寸法Ｐ分突出させて、挿入口部１２を容易に開口させることができるように、構成してもよい。
【００３３】
さらに、実施形態の作業用手袋２では、シート材２０Ａ・２０Ｂ相互を、高周波溶着を利用して、結合させた場合を示したが、他に、熱を利用した熱溶着や、接着剤を利用した接着により、シート材２０Ａ・２０Ｂ相互を結合させてもよい。但し、実施形態のように、重ねたシート材２０Ａ・２０Ｂを溶着させて結合部２を形成して、その結合部２ａの周囲を裁断する製造方法が、最も、工数・コストを抑えて、手袋２を製造することができる。
【図面の簡単な説明】
【図１】本発明に係る一実施形態の作業用手袋を使用した掃除具の分解平面図である。
【図２】実施形態の作業用手袋の断面図であり、図１のＩＩ−ＩＩ部位に対応する。
【図３】実施形態の作業用手袋の断面図であり、図１のＩＩＩ−ＩＩＩ部位に対応する。
【図４】実施形態の作業用手袋の製造工程を説明する図である。
【図５】実施形態に使用する掃除袋の製造工程を説明する斜視図である。
【図６】実施形態の使用時を説明する概略斜視図である。
【図７】実施形態の作業用手袋に第２手袋としての軍手を嵌めた状態を示す図である。
【符号の説明】
２…作業用手袋、
２ａ…結合部、
３…手袋部、
６…筒部、
６ａ…端部、
７…挿入口部、
９・２４…第２手袋、
２０（２０Ａ・２０Ｂ）…シート材。
【図１】
2004238740.tif 000003
【図２】
2004238740.tif 000004
【図３】
2004238740.tif 000005
【図４】
2004238740.tif 000006
【図５】
2004238740.tif 000007
【図６】
2004238740.tif 000008
【図７】
2004238740.tif 000009